(57)【要約】【課題】  市場対象に向けて設計された、金融ローン、商品購入、およびサービス提供の仲介のためのインターネットシステムを実現する。【解決手段】  本発明の市場対象に向けた金融仲介のために設計された金融ローンの仲介のための統合されたインターネットシステムは、少なくとも１つの債権者ブロック（２）および／または、少なくとも１つのクライアントブロック(３)および／または、少なくとも１つの銀行ブロック（４）に、トランスミッションチャンネル（６）を通して接続した少なくとも１つの仲介ブロック（１）により形成され、銀行ブロック（４）は、少なくとも１つの債権者ブロック（２）および／または、少なくとも１つのクライアントブロック（３）に、トランスミッションチャンネル（６）を通して接続しており、上記クライアントブロック（３）は、少なくとも１つの債権者ブロック（２）に、トランスミッションチャンネル（６）を通して接続している。【選択図】  図１
2007293867.tif 000002
【特許請求の範囲】
【請求項１】
市場対象に向けた金融仲介のために設計された金融ローンの仲介のための統合されたインターネットシステムであって、
少なくとも１つの債権者ブロック（２）および／または、少なくとも１つのクライアントブロック(３)および／または、少なくとも１つの銀行ブロック（４）に、トランスミッションチャンネル（６）を通して接続した少なくとも１つの仲介ブロック（１）により形成され、
上記銀行ブロック（４）は、少なくとも１つの債権者ブロック（２）および／または、少なくとも１つのクライアントブロック（３）に、トランスミッションチャンネル（６）を通して接続しており、上記クライアントブロック（３）は、少なくとも１つの債権者ブロック（２）に、トランスミッションチャンネル（６）を通して接続している、
ことを特徴とするシステム。
【請求項２】
少なくとも１つの債権者のブロック（２）および／または、少なくとも１つの銀行ブロック（１）および／または、少なくとも１つの仲介ブロック（１）に、トランスミッションチャンネル（６）を通して接続した少なくとも１つの照合ブロック（５）に、トランスミッションチャンネル（６）を通して接続したクライアントブロック（３）によって特徴付けられる請求項１に記載のシステム。
【請求項３】
市場対象のために設計された、金融ローン、商品購入、およびサービス提供、についての仲介のための連結されたインターネットシステムであって、
少なくとも１つの債権者ブロック（２）および／または、少なくとも１つの銀行ブロック（４）および／または、少なくとも１つのプロバイダブロック（８）および／または、少なくとも１つのセキュリティブロック（９）および／または、少なくとも１つの外部ブロック（７）および／または、少なくとも１つのクライアントブロック（３）に、トランスミッションチャンネル（６）を通して接続した少なくとも一つの仲介ブロック（１）により形成され、
上記クライアントブロック（３）は、少なくとも１つの照合ブロック（５）に、トランスミッションチャンネル（６）を通して接続しており、上記照合ブロック（５）は、少なくとも１つの債権者のブロック（２）および／または、少なくとも1つのプロバイダブロック（８）および／または、少なくとも１つの仲介ブロック（１）に、トランスミッションチャンネル（６）を通して接続していることを特徴とするシステム。
【請求項４】
クライアントブロック（３）は、少なくとも１つの債権者ブロック（２）および／または、少なくとも１つのプロバイダブロック（８）および／または、少なくとも１つのセキュリティブロック（９）にトランスミッションチャンネル（６）を通して接続しおり、
上記セキュリティブロック（９）は、少なくとも１つの債権者ブロック（２）および／または、少なくとも１つのプロバイダブロック（８）に、トランスミッションチャンネル（６）を通して接続していることを特徴とする請求項３に記載のシステム。
【請求項５】
市場対象へのローン提供のために設計されたクライアントのＩＤの照合についての統合されたインターネットシステムであって、
少なくとも１つのプロバイダブロック（１）にトランスミッションチャンネル（６）を通して接続し、かつ、少なくとも1つの照合ブロック（５）にトランスミッションチャンネル（６）を通して接続している、少なくとも１つのクライアントブロック（３）によって形成され、
上記照合ブロック（５）は、少なくとも１つのプロバイダブロック（１）にトランスミッションチャンネル（６）を通して接続し、
上記プロバイダブロック（１）は、少なくとも１つの銀行ブロック（４）にトランスミッションチャンネル（６）を通して接続し、
上記銀行ブロック（４）は、少なくとも１つのクライアントブロック（３）にトランスミッションチャンネル（６）を通して接続していることを特徴とするシステム。
【請求項６】
少なくとも１つのプロバイダのブロック（１）および／または、少なくとも１つのクライアントブロック（３）は、少なくとも１つの債権者ブロック（２）にトランスミッションチャンネル（６）を通しており、
上記債権者ブロックは（２）は、少なくとも１つの銀行ブロック（４）にトランスミッションチャンネル（６）を通して接続し、
上記銀行ブロックは（４）は、少なくとも１つのクライアントブロック（３）にトランスミッションチャンネル（６）を通して接続していることを特徴とする請求項５に記載のシステム。
【発明の詳細な説明】
【発明の詳細な説明】
【０００１】
〔技術分野〕
本発明は、市場対象に向けて設計された、金融ローン、商品購入、およびサービス提供の仲介のためのインターネットシステムの統合に関するものである。
【０００２】
〔従来技術〕
現在、金融ローンの受け渡しは、時として仲介人を介した債権者と債務者との個人的な接触により遂行される。この処理の不利な点は、ほとんどの場合に非常に高くなった利率を債務者が受け入れないと、ローンの多くの特性および有効性が容認されなかったことである。このことは、市場のより効率のよい発展と、商品およびサービスの流通と、を妨げた。
【０００３】
この問題を解決するためのよく知られた技術が、実用新案のチェコ出願PUV No. 8 804 - 98を優先権の基礎としたスロバキア特許公報P No. 284 504に開示されている。ここでは、カードを介しての商品およびサービスの電子キャッシュレス購入についてのシステムが記載されており、このシステムは、銀行オペレータブロックを含んでおり、この銀行オペレータのブロックは、クレジットカードによって、クレジットカードの所有者ブロックと接続している。クレジットカードは、販売人オペレータのブロック（the block the operator of the seller）を介してアクセス可能な商品またはサービスについてのデータを、販売人オペレータのブロックのＩＤ（証明）を伴って送信するためのものであり、一方、クレジットカードの所有者ブロックは、加えて、販売人オペレータのブロックと接続しており、この販売人オペレータは、クレジットカードを介して、一方のサイドで銀行オペレータのブロックと接続しており、他方のサイドで少なくとも商品またはサービスの供給者のブロックと接続している。この技術の不利な点は、金融ローンの仲介の分野では適切ではない、ということである。
【０００４】
さらに他の解決技術が、スロバキア特許出願PP No.1 441 - 2003に開示されている。これは、マイクロ−ペイメントに適用できる支払いの安全システムについての設備であって、３つ以上のサブデバイスからなっており、これらの下位のデバイスが、専門化されたハードウェア装置の援助あるいは、コンピュータおよび各プログラムとして実行され、上記サブデバイスのうちの１つ目は、いくつかの考慮すべき事柄のための提供情報をプロバイダに供給し、２つ目は、顧客が情報を購入して仲介することを可能にし、３つ目は、管理者が購入者の口座を保持することを保障するようになっている。上記した関連するもの全ては、通信網を通って他のものと接続でき、支払システムの初期設定は、安全なチャネルを通しての準備を要求しないが、暗号の重単方向ハッシュ機能の値（the values of the cryptographic heavy one-way hash function）は、両替および取引に加わっている代理人の承認を保障するために使い果される。さらに、1つの操作だけが、代理人間で公開された秘密情報を配分するための暗号学「公開キーの方法」の助けによって必要とされ、そして、それに続く処理は、ハッシュ関数のいくつかの値の計算だけを必要とし、有効で、安価で、高速のマイクロ−ペイメントコンタクトのための機能を生成する。この技術の不利な点は、適用が、購入と支払のための情報の仲介との分野のみに限定されていることである。
【０００５】
別の解決技術が、２つのチェコ特許出願PP No.2002 - 3 265 and PP No.2002 - 13 521を優先権の基礎とする公開されたスロバキア特許出願PP No. 746 - 2003 に開示されている。ここには、協力機関のコミュニケーション組織について記載されており、この組織は、プロバイダの伝達構造のバーチャル・プライベート・ネットワークのシステムから確立されている。それらは、個々の位置で、普遍的な供給装置のインターフェイスにて、ローカルコンピュータネットワークと接続される。これらの要素は、特に、機関に対するコミュニケーション組織のサービスの相互共有を目的とした、協力機関の内部通信ネットワークを生成する。この技術の不利な点は、金融ローンの仲介の分野と、商品の購入およびサービスの供給の仲介の分野とには、不適切であるということである。
【０００６】
他の技術が、スペイン特許出願、PP No. 2000 00724, PP No. 2000 01573 および PP No. 2000 01574を優先権の基礎とする公開されたスロバキア特許出願PP No.1 165 - 2000に開示されている。ここには、支払い処理および、支払人と利益を受ける者（受取人）との間での取引のためのシステム、および、これら支払いの処理方法、が開示されている。支払人および受取人は、第１サーバを使用したシステムと接続し、この第１サーバは、テレコミュニケーション媒体によって、各々の接続された支払人の情報を含んでいるデータを暗記するための最初の装置と、接続している。
【０００７】
この情報は、全ての受取人の許可されたＩＤコード（識別コード）と同様に、少なくとも、許可された電話番号、取引を許可する承認基準、および、許可された電話番号に対して割り当てられた安全基準から成り立ち、データを記録する第２装置は、デジタル携帯電話のタイプに関する情報を保持しており、あらゆる電話番号に関連しており、選択的な設備は、識別されるようなある特定のタイプのデジタル携帯電話と互換性があるテレコミュニケーションサービスの助けによって、許可された電話番号によって識別されるデジタル携帯電話と伝達し合うテレコミュニケーション装置の1つを選ぶ。この技術の不利な点は、金融ローンの仲介の分野、および、商品の購入およびサービスの提供の仲介の分野に適用できないことである。
【０００８】
さらなる解決技術が、アメリカ特許出願PP No. 60/099 152を優先権の基礎とする、公開されたスロバキア特許出願PP No. 596-2000に開示されており、ここには、匿名のショッピングと匿名の売り手の積み込みの電子商取引について記載されている。ここでは、売り手／小売商のサーバから購入される商品の配送は、顧客の素性あるいは、顧客の物理的アドレスを明らかにすることなしに、全ての顧客の素性と物理的アドレスとを、安全なコンピュータにて保存された情報の接続通してコンピュータへの割り当てることで、コンピュータ上で行われる。これらのコンピュータは、信頼できる供給者のものあるいは銀行のコンピュータであり、ここでは、顧客のコンピュータは匿名で売り手のコンピュータに接続しており、買い手は自身の実際の素性あるいは物理的アドレスを開示することなく注文でき、小売商は商品を一般の運送業者に渡す。商品は、取引識別子および顧客の住所を与えられたパッケージで、引き渡される。こうすれば、一般の運搬業者は、信頼できる供給者のコンピュータから顧客の素性およびアドレスについての情報を知らされ、識別子あるいは顧客のアドレスを使用して、顧客の物理的アドレスにパッケージを配送することできる。この技術の不利な点は、返済（reimbursement）における購入の分野にのみ適用できることである。
【０００９】
次の解決技術として、アメリカ特許出願PP No. 08/427 287 を優先権の基礎とする公開されたスロバキア特許出願PP  No.1 426-1997に、電子貨幣システムについて開示されている。このシステムでは、銀行か金融機関が、同意している顧客に、電子通貨を含んだ電子マネーを作成して発行する貨幣発行装置に繋がっており、必要とする預金および電子クレジット機能により後押しされており、対応する銀行が電子マネーを受け入れ分配しており、賛同者により、複数の取引装置が、電子マネーを保持しておくため、加入している銀行のオンラインシステムでマネー取引を行うため、あるいは、セントラルコンピュータ（発行および対応する銀行と関連した自動出納機）での接続がないオフライン取引で他の取引装置と電子マネーを交換するため、発行および対応する銀行への言及した取引装置の操作と作動の処理のため、および、発行と対応する銀行自体（異なった発行銀行の仮の金銭アカウントのバランスをとるためのクリアリング銀行、システムに含まれているもの全てに通信サービスを提供するためのデータ通信ネットワークおよび、システムの完全性の維持のためと、システムの内での偽造と歪曲とを検出するためとの、安全性測定）と間の動作のため、に使用される。この発明の実施例では、顧客サービスモジュールを含んでおり、このモジュールは、失った貨幣の要求を扱い、銀行アクセスを提供するための貨幣モジュールへのアカウントにリンクしている。この技術の不利な点は、金融ローンの仲介、商品の購入あるいはサービスの提供の仲介の分野に適用できないことである。
【００１０】
次に、よく知られた解決技術が、アメリカ特許出願PP No. 1999 151880, PP No.1999 164668, PP No.1999 165577 および PP No. 2000 201635を優先権の基礎とする公開されたチェコ特許出願PP c. 2002-744に開示されている。ここには、電子処理を行うための方法および装置について記載されている。ここでは、ユーザが理性的性質（キャラクター）、例えば電子証明書を含むチップカードにより規定されていると、電子取引は購入取引であり、ここでは理性的性質は、全ての取引がユーザの利益となるようにし続ける一つの様式でのネットワークのサーバにて機能を与えられ、電子財布サーバは、安全サーバと接続しており、取引の間、保証された信頼性と信憑性とが与えられる。ツールバーが含まれており、電子財布が、自動メモリのアイテムを用いて、早くも前もって完了する書式に記入する。この技術の不利な点は、返済（reimbursement）における購入の分野にのみ適用できることである。
【００１１】
次に、アメリカ特許出願PP No.1998 089825を優先権の基礎とする公開されたチェコ出願PP No. 2000 - 4781には、照合された決済システム（VPS）が開示されている。ここでは、VPSが、ＩＤの私的登録、クライアントと売り手との両方の照合および決済データの安全を可能にした保証人登録システムを含んでいる場合、VPSは、安全な電子およびデジタル取引への関係者に仲介者を供給する。これは、銀行を含む決済システムも含んでおり、そして、照合のジェネレータは、電子のまたはデジタルの取引に関する照合記録を作成するためのサービング（serving）を記録する。さらに、照合記録は、電子のまたはデジタルの取引の全関係者にアクセス可能であり、システムは多くのハブまたはスイッチを具体化しており、照合記録は、私設ネットワーク、売り手、クライアント、および決済システムに関連している。これらのハブまたはスイッチには、売り手とクライアントの独立しているコミュニケーションにより、VPSのシステムが備えられており、また、それらには、どのハブまたはスイッチがどのクライアントを支持するかを指定する登録サービスを確実にする登録認可証書を有しており、上記の安全な取引は、関係者間の直接的コミュニケーションなしで仲介される。この技術の不利な点は、金融ローンの仲介の分野および、商品の購入およびサービスの提供の仲介の分野に適用できないことである。
【００１２】
別の解決技術が公開されたチェコ特許出願PP No. 2000 - 4 103に開示されており、ここには、公共コミュニケーションネットワークと一般に接続した関係者間でのビジネス仲介のためのシステムの統合について記載されている。これは、互いに接続したユーザ端末からなり、このユーザ端末は、セントラルシステムと接続しており、セントラルデバイスは、セントラル注釈（annotation）データベースを含んでおり、１つ目のインプットにて、全て実際に接続したユーザ端末のユーザの項目の注釈のデータベースと接続しており、ユーザ端末は、強調された情報のデータベースと共に、ユーザの項目のデータベースを生成する。2つ目のインプットには、次の出力のときの検索のディスプレイ・モジュールに関連づけられた検索のモジュールとのコネクションがある。注釈のセントラルデータベースは、出力のときに、検索された項目の表示のモジュールと接続され、その２つ目の出力のときに、さらなるユーザ機器の強調された情報のデータベースと接続され、これらの項目は、検索された項目の表示のモジュールに表示される。後者は、その出力のときに、検索された項目を伴ったワークモジュールと接続され、他方、ユーザ項目のデータベースは、項目の新設および管理のモジュールと接続され、出力のときに、項目の新設および管理の表示のモジュールと接続される。この技術の不利な点は、情報、商品およびサービスの購入の分野にのみに適用できることである。
【００１３】
新たな解決技術が、公開されたチェコ特許出願PP No. 2000 - 3 501に記載されており、ここには、Ｅ−ビジネスと情報ソースへのアクセスとについての解決システムが開示されている。このシステムでは、環境を伴う保証されたコミュニケーションと共に、独立したネットワークに組みたれられたサーバのグループを包括している閉じたネットワークがあり、インターフェースが置かれた状況下でインターフェースを介した、仲介され確実にされた、クライアントへのアクセスが保証され、インターフェースが置かれた場所から全ての内部クライアントのサービスが形成され、そこでは、閉じたネットワーク環境が、セントラルサービスが閉じたネットワークの頂点に配置された構造にアレンジされたサービスにより形成される。最低限1つのナショナルサーバとサーバオペレータとが、下位のレベルを作り、そして、サーバオペレータが、通信にてクライアントに接続される。インタフェースは、特別手段、すなわち、ソフトウェア解決、ハードウェア解決、および機構手段、によって確立されるユーザの環境を生成し、ここでは、仲介アクセスが、クライアントとソースとの間接的なリンクであり、インターフェースを保護するモジュールとクライアント安全のモジュールとによって生成される。この技術の不利な点は、金融ローンの仲介の分野および商品の購入あるいはサービスの提供の仲介の分野に適用できないことである。
【００１４】
他の知られた解決技術が、アメリカの特許出願PP No.1995 002856 を優先権の基礎とする公開されたチェコ特許出願PP No. 1998-59に記載されており、ここには、価格申し出の申し込みに関する改善された特性についての匿名のビジネスシステムが開示されている。このシステムは、匿名のコンピュータビジネスシステムに申し込まれた全ての価格申し出において、それが不可欠な販売のポイント数にて主要品目になると予想されるかどうかを定義し、そして、そのような場合、システムは価格申し出をした経営者に知らせることになる。多くの販売のポイント数は、適切なビジネスパートナーの事前に定義された割合より大きい利点にて表現され、クレジットが双方のベースに基づきビジネスパートナーと交渉されており、値付け業者に対して与えられる代わりのバージョンでは、割合が25%以上であり、グラフィックディスプレイは、関連する価格申し出を受け入れるためにバランスを取っている販売のポイント数がいくつであるかについての表示を行い、および／または数値表示は、事前に決定された数の内で関連項目となりうる価格あるいは、適切なビジネスパートナーの割合を示す。この技術の不利な点は、商品およびサービスの提供の分野にのみ適用できることである。
【００１５】
〔本発明の特徴〕
上述した従来技術の問題は、本発明に係る、市場対象に向けて設計された金融ローン、商品購入およびサービス提供についての仲介を目的とした統合されたインターネットシステムによって、大幅に改善される。
【００１６】
本発明の特徴は、最低限１つの仲介ブロックからなり、仲介ブロックは、トランスファーチャンネルを通して、少なくとも１つの債権者ブロックおよび／または、少なくとも１つの銀行ブロックおよび／または、少なくとも１つのプロバイダブロックおよび／または、少なくとも１つのセキュリティブロックおよび／または、少なくとも１つの外部ブロックおよび／または、少なくとも１つのクライアントブロックと接続しており、このクライアントブロックは、トランスファーチャンネルによって、少なくとも１つの照合ブロックおよび／または、少なくとも１つの仲介ブロックに接続している、ことである。
【００１７】
上記構成の利点は、少なくとも１つのクライアントブロックが、トランスミッションチャンネルを通して、少なくとも１つの債権者ブロックおよび／または、少なくとも１つのプロバイダブロックおよび／または、少なくとも１つのセキュリティブロックと接続しており、このセキュリティブロックは、少なくとも１つの債権者ブロックおよび／または少なくとも１つのプロバイダブロックとトランスミッションチャンネルにより接続していることである。
【００１８】
また、上述した従来技術の問題は、本発明に係る、市場対象に向けた金融仲介のために設計された金融ローンの仲介の統合されたインターネットシステムによって、大幅に改善される。
【００１９】
本発明の特徴は、少なくとも１つの仲介ブロックからなり、この仲介ブロックは、トランスミッションチャンネルを通して、少なくとも１つの債権者ブロックおよび／または、少なくとも１つのクライアントブロックおよび／または、少なくとも１つの銀行ブロックと接続しており、この銀行ブロックは他のサイドからトランスミッションチャンネルを通して、少なくとも１つの債権者ブロックおよび／または、少なくとも１つのクライアントブロックと接続しており、このクライアントブロックは、トランスミッションチャンネルを通して、少なくとも１つの債権者ブロックと接続していることである。
【００２０】
上記構成の利点は、少なくとも１つのクライアントブロックが、トランスミッションチャンネル６により、少なくとも１つの照合ブロックと接続しており、照合ブロックは、トランスミッションチャンネル６を通して、少なくとも１つのクラインとブロック、および／または、少なくとも１つの仲介ブロックと接続していることである。
【００２１】
本発明に係るクライアントのＩＤの認証のシステムは、市場対象に向けての金融ローンの提供に対して設計されたものであり、最低限、トランスミッションチャンネルを介して少なくとも１つのプロバイダブロックと接続した１つのクライアントブロックからなり、そして、トランスミッションチャンネルを通って、少なくとも１つの照合ブロックと接続しており、照合ブロックは、トランスミッションチャンネルを通して、少なくとも１つのプロバイダブロックと接続しており、プロバイダブロックはトランスミッションチャンネルを介して、少なくとも１つの銀行ブロックと接続しており、銀行ブロックは、トランスミッションチャンネルを介して、少なくとも１つのクライアントブロックに接続している。
【００２２】
上記構成の利点は、少なくとも１つのプロバイダブロック、および／または、少なくとも１つのクライアントブロックは、トランスミッションチャンネルを通して、少なくとも１つの債権者ブロックと接続しおり、債権者ブロックは、トランスミッションチャンネルを通して、少なくとも１つの銀行ブロックと接続しており、銀行ブロックは、トランスミッションチャンネルを通して、少なくとも１つのクライアントブロックと接続していることである。
【発明を実施するための最良の形態】
【００２３】
〔実施の形態１〕
金融ローンの仲介の統合されたインターネットシステムは、図１に示すように、市場対象に対して設計されたものであり、金融ローンのプロバイダのコンピュータ端末である債権者ブロック２により形成されている。債権者ブロック２は、トランスミッションチャンネル６を通して、仲介者の登録制御ポートである仲介ブロック１と接続している。他のサイドから仲介ブロック１は、トランスミッションチャンネル６を通して、クライアントのコンピュータ端末であるクライアントブロック３と接続している。仲介ブロック１は他のサイドから、トランスミッションチャンネル６を通して、仲介者の口座（account）である銀行ブロック４の仲介者アカウンティングモジュール４１と接続している。銀行のコンピュータ端末である銀行ブロック４は、互いに接続した仲介者アカウンティングモジュール４１、債権者アカウンティングモジュール４２、およびクライアントアカウンティングモジュール４３から成っている。クライアントアカウンティングモジュール４３は、トランスミッションチャンネル６を通して、クライアントブロック３と接続している。債権者アカウンティングモジュール４２は、トランスミッションチャンネル６を通して、債権者ブロック２と接続している。仲介者アカウンティングブロック４１は、トランスミッションチャンネル６を通して、仲介ブロック１と接続している。仲介者アカウンティングブロック４１は、トランスミッションチャンネル６を通して、債権者ブロック２と接続している。仲介者アカウンティングブロック４１は、トランスミッションチャンネル６を通して、クライアントブロック３と接続している。
【００２４】
〔実施の形態２〕
金融ローンの仲介のための接続されたインターネットシステムは、図１に示すように、市場対象に対して設計されたものであり、金融ローンのプロバイダのコンピュータ端末である債権者ブロック２により形成されている。債権者ブロック２は、トランスミッションチャンネル６を通して、クライアントの信頼性を確認し照合する照合ブロック５と接続している。債権者ブロック２は、そして、トランスミッションチャンネル６を通して、仲介者の登録制御ポートである仲介ブロック１と接続している。仲介ブロック１は、さらに、トランスミッションチャンネル６を通して、照合ブロック５と接続している。仲介ブロック１は他のサイドから、トランスミッションチャンネル６を通して、クライアントのコンピュータ端末であるクライアントブロック３と接続している。クライアントブロック３は、次のサイドから、トランスミッションチャンネル６を通して、クライアントの信頼性を確認し照合する照合ブロック５と接続している。仲介ブロック１は他のサイドから、トランスミッションチャンネル６を通して、仲介者の口座（account）である銀行ブロック４の仲介者アカウンティングモジュール４１と接続している。銀行のコンピュータ端末である銀行ブロック４は、互いに接続した仲介者アカウンティングモジュール４１、債権者アカウンティングモジュール４２、およびクライアントアカウンティングモジュール４３から成っている。クライアントアカウンティングモジュール４３は、トランスミッションチャンネル６を通して、クライアントブロック３と接続している。債権者アカウンティングモジュール４２は、トランスミッションチャンネル６を通して、債権者ブロック２と接続している。仲介者アカウンティングブロック４１は、トランスミッションチャンネル６を通して、仲介ブロック１と接続している。仲介者アカウンティングブロック４１は、トランスミッションチャンネル６を通して、債権者ブロック２と接続している。仲介者アカウンティングブロック４１は、トランスミッションチャンネル６を通して、クライアントブロック３と接続している。
【００２５】
〔実施の形態３〕
金融ローン、商品の購入、およびサービスの提供についての仲介のための接続されたインターネットシステムは、図２に示すように、市場対象に対して設計されたものであり、金融ローンのプロバイダのコンピュータ端末である債権者ブロック２により形成されている。債権者ブロック２は、トランスミッションチャンネル６を通して、仲介者の登録制御ポートである仲介ブロック１と接続している。債権者ブロック２は、仲介ブロック１を介して、パック休暇（package holiday）を購入するための金融ローンに興味のある個人のコンピュータ端末であるクライアントブロック３と接続している。仲介ブロック１は、トランスミッションチャンネル６を通して、支払能力の確認および照合のためのコンピュータ端末と同一の照合ブロック５と接続している。さらなるサイドから仲介ブロック１は、トランスミッションチャンネル６を通して、旅行代理店のコンピュータ端末であるプロバイダブロック８と接続している。さらなるサイドから仲介ブロック１は、トランスミッションチャンネル６を通して、契約関係の遂行を請け負う法律事務所のコンピュータ端末であるセキュリティブロック９と接続している。さらなるサイドから仲介ブロック１は、トランスミッションチャンネル６を通して、外部ブロック７と接続している。外部接続ブロック７は、金融ローンのプロバイダと、サービスと商品のプロバイダと、についての外部データベースのコンピュータ端末である。仲介ブロック１はさらなるサイドから、トランスミッションチャンネル６を通して、銀行のコンピュータ端末である銀行ブロック４と接続している。銀行ブロック４は、互いに接続した、仲介者アカウンティングモジュール４１、債権者アカウンティングモジュール４２、外部アカウンティングモジュール４７、セキュリティアカウンティングモジュール４８、およびクライアントアカウンティングモジュール４３から成っている。仲介者アカウンティングブロック４１は、仲介者の口座（account）であり、トランスミッションチャンネル６を通して、仲介ブロック１と接続している。クライアントの口座（account）であるクライアントアカウンティングモジュール４３は、トランスミッションチャンネル６を通して、クライアントブロック３と接続している。債権者の口座（account）である債権者アカウンティングモジュール４２は、トランスミッションチャンネル６を通して、債権者ブロック２と接続している。外部データベースのプロバイダの口座（account）である外部アカウンティングモジュール４７は、トランスミッションチャンネル６により、外部ブロック７と接続している。旅行代理店の口座（account）であるプロバイダアカウンティングモジュール４８は、トランスミッションチャンネル６を通して、プロバイダブロック８と接続している。プロバイダブロック８は、トランスミッションチャンネル６を通して、セキュリティブロック９と接続している。セキュリティブロック９は、トランスミッションチャンネル６を通して、債権者ブロック２と接続している。債権者ブロック２は、トランスミッションチャンネル６を通して、仲介者アカウンティングモジュール４１と接続している。仲介者アカウンティングモジュール４１は、トランスミッションチャ���ネル６を通して、クライアントブロック３と接続している。クライアントブロック３は、トランスミッションチャンネル６を通して、クライアントアカウンティングモジュール４３と接続している。仲介者アカウンティングモジュール４１は、トランスミッションチャンネル６を通して、照合ブロック５と接続している。照合ブロック５は、トランスミッションチャンネル６を通して、クライアントブロック３と接続している。照合ブロック５は、さらに他のサイドから、トランスミッションチャンネル６を通して、債権者ブロック２と接続している。照合ブロック５は、さらに他のサイドから、トランスミッションチャンネル６を通して、プロバイダブロック８と接続している。仲介者アカウンティングモジュール４１は、トランスミッションチャンネル６を通して、外部ブロック７と接続している。仲介者アカウンティングモジュール４１は、トランスミッションチャンネル６を通して、プロバイダブロック８と接続している。プロバイダブロック８は、トランスミッションチャンネル６を通して、セキュリティブロック９と接続している。セキュリティブロック９は、トランスミッションチャンネル６を通して、債権者ブロック２と接続している。セキュリティブロック９は、トランスミッションチャンネル６を通して、クライアントブロック３と接続している。
【００２６】
〔実施の形態４〕
金融ローン、商品の購入、およびサービスの提供についての仲介の統合されたインターネットシステムは、図２に示すように、市場対象に対して設計されたものであり、金融ローンのプロバイダのコンピュータ端末である債権者ブロック２により形成されている。債権者ブロック２は、トランスミッションチャンネル６を通して、仲介者の登録制御ポートである仲介ブロック１と接続している。債権者ブロック２は、仲介ブロック１を介し、実物資産の目的で金融ローンに興味のある顧客のコンピュータ端末であるクライアントブロック３と接続している。仲介ブロック１は、別のサイドから、トランスミッションチャンネル６を通して、支払能力の確認および照合の処理を行うコンピュータ端末である照合ブロック５と接続している。仲介ブロック１は、別のサイドから、トランスミッションチャンネル６を通して、不動産業者のコンピュータ端末であるプロバイダブロック８と接続している。仲介ブロック１は、別のサイドから、トランスミッションチャンネル６を通して、契契関係に従って負債回収を請け負う差し押さえ業者（distrainer）事務所のコンピュータ端末であるセキュリティブロック９と接続している。仲介ブロック１は、別のサイドから、トランスミッションチャンネル６を通して、金融ローンとサービスおよび商品の購入とのプロバイダを含むデータベースのプロバイダのコンピュータ端末である外部ブロック７と接続している。仲介ブロック１はさらなるサイドから、トランスミッションチャンネル６を通して、銀行のコンピュータ端末である銀行ブロック４と接続している。銀行ブロック４は、互いに接続した、仲介者アカウンティングモジュール４１、債権者アカウンティングモジュール４２、外部アカウンティングモジュール４７、セキュリティアカウンティングモジュール４８、およびクライアントアカウンティングモジュール４３から成っている。仲介者アカウンティングブロック４１は、仲介者の口座（account）であり、トランスミッションチャンネル６を通して、仲介ブロック１と接続している。クライアントの口座（account）であるクライアントアカウンティングモジュール４３は、トランスミッションチャンネル６を通して、クライアントブロック３と接続している。債権者の口座（account）である債権者アカウンティングモジュール４２は、トランスミッションチャンネル６を通して、債権者ブロック２と接続している。外部データベースのプロバイダの口座（account）である外部アカウンティングモジュール４７は、トランスミッションチャンネル６により、外部ブロック７と接続している。不動産業者の口座（account）であるプロバイダアカウンティングモジュール４８は、トランスミッションチャンネル６を通して、プロバイダブロック８と接続している。プロバイダブロック８は、トランスミッションチャンネル６を通して、セキュリティブロック９と接続している。セキュリティブロック９は、トランスミッションチャンネル６を通して、債権者ブロック２と接続している。債権者ブロック２は、トランスミッションチャンネル６を通して、仲介者アカウンティングモジュール４１と接続している。仲介者アカウンティングモジュール４１は、トランスミッションチャンネル６を通して、クライアントブロック３と接続している。クライアントブロック３は、トランスミッションチャンネル６を通して、クライアントアカウンティングモジュール４３と接続している。仲介者アカウンティングモジュール４１は、トランスミッションチャンネル６を通して、照合ブロック５と接続している。照合ブロック５は、トランスミッションチャンネル６を通して、クライアントブロック３と接続している。照合ブロック５は、さらに他のサイドから、トランスミッションチャンネル６を通して、債権者ブロック２と接続している。照合ブロック５は、さらに他のサイドから、トランスミッションチャンネル６を通して、プロバイダブロック８と接続している。仲介者アカウンティングモジュール４１は、トランスミッションチャンネル６を通して、外部ブロック７と接続している。仲介者アカウンティングモジュール４１は、トランスミッションチャンネル６を通して、プロバイダブロック８と接続している。プロバイダブロック８は、トランスミッションチャンネル６を通して、セキュリティブロック９と接続している。セキュリティブロック９は、トランスミッションチャンネル６を通して、債権者ブロック２と接続している。セキュリティブロック９は、トランスミッションチャンネル６を通して、クライアントブロック３と接続している。
【００２７】
〔実施の形態５〕
クライアントのＩＤ（身分証明書）の照合のための接続されたインターネットシステムは、図３に示すように、市場対象へ提供された金融ローンに対して設定されたものであり、金融ローンに興味のある顧客のコンピュータ端末であるクライアントブロック３により形成されている。クライアントブロック３は、トランスミッションチャンネル６を通して、プロバイダブロック１と電子接続している。プロバイダブロック１は、登録制御ポートであり、これを通して、顧客は、取引条件（business conditions）の契約の書き入れ用紙を得る。クライアントブロック３は、関係のあるクライアントが提示したデータに従って契約の書き入れ用紙のクライアントＩＤを照合する照合ブロック５と接続している。照合ブロック５は、トランスミッションチャンネル６を通して、クライアントのＩＤの認証（裏づけ）を受け取るプロバイダブロック１と電子接続している。プロバイダブロック１は、トランスミッションチャンネル６を通して、クライアントブロック３と接続している。クライアントは、クライアントブロック３を通して、ＩＤのＰＩＮコードを得ることができる。クライアントブロック３は、トランスミッションチャンネル６を通して、媒体（medium）より、プロバイダブロック１と電気的接続している。上記媒体の顧客は、プロバイダの自己のリソースから金融ローンの支給のとき、すなわち、ＩＤのＰＩＮコードの付与に伴って、および、契約について定められた空白への書き込みによって、契約を結ぶ。プロバイダブロック１は、トランスミッションチャンネル６を通して、他のサイドから、銀行ブロック４のプロバイダアカウンティングモジュール４１と接続している。プロバイダアカウンティングモジュール４１は、プロバイダのアカウント（口座）である。銀行ブロック４は、銀行のコンピュータ端末であり、互いに接続したプロバイダアカウンティングモジュール４１とクラインアカウンティングモジュール４３とを含んでいる。クライアントアカウンティングモジュール４３は、トランスミッションチャンネル６を通して、クライアントブロック３と接続している。プロバイダアカウンティングモジュール４１は、トランスミッションチャンネル６を通して、プロバイダブロック１と接続している。
【００２８】
〔実施の形態６〕
クライアントのＩＤの照合のための統合されたインターネットシステムは、図４に示すように、市場対象へ提供された金融ローンに対して設定されたものであり、金融ローンに興味のある顧客のコンピュータ端末であるクライアントブロック３により形成されている。クライアントブロック３は、トランスミッションチャンネル６を通して、プロバイダブロック１と電子接続している。プロバイダブロック１は、登録制御ポートであり、これを通して、顧客は、取引条件（business conditions）の契約の書き入れ用紙を得る。クライアントブロック３は、関係のあるクライアントが提示したデータに従って契約の書き入れ用紙のクライアントＩＤを照合する照合ブロック５と接続している。照合ブロック５は、トランスミッションチャンネル６を通して、クライアントのＩＤの認証（裏づけ）を受け取るプロバイダブロック１と電子接続している。プロバイダブロック１は、トランスミッションチャンネル６を通して、クライアントブロック３と接続している。クライアントは、クライアントブロック３を通して、ＩＤのＰＩＮコードを得ることができる。クライアントブロック３は、トランスミッションチャンネル６を通して、媒体（medium）により、プロバイダブロック１と電気的接続している。この媒体の顧客は、金融ローンの支給のときに、契約を結ぶ。これは、ＩＤのＰＩＮコードの付与によって、および契約について定められた空白への書き込みによって、生じる。プロバイダブロック１は、トランスミッションチャンネル６を通して、金融ローンのプロバイダのコンピュータ端末である債権者ブロックと接続している。債権者ブロック２は、トランスミッションチャンネル６を通して、プロバイダブロック１と接続している。プロバイダブロック１は、トランスミッションチャンネル６を通して、次のサイドから、銀行のコンピュータ端末である銀行ブロック４の、プロバイダアカウンティングモジュール４１と接続している。銀行ブロック４は、互いに接続したプロバイダアカウンティングモジュール４１と債権者アカウンティングモジュール４２とクラインアカウンティングモジュール４３とを含んでいる。クライアントアカウンティングモジュール４３は、トランスミッションチャンネル６を通って、クライアントブロック３と接続している。クライアントアカウンティングモジュール４３は、トランスミッションチャンネル６を通って、債権者ブロック２と接続している。プロバイダアカウンティングモジュール４１は、トランスミッションチャンネル６を通って、プロバイダブロック１と接続している。プロバイダアカウンティングモジュール４１は、トランスミッションチャンネル６を通って、債権者ブロック２と接続している。
【００２９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００３０】
本発明に係る接続されたシステムは、金融市場分野に適用でき、特に、自然で法的な実体および、自然で法的な実体への無料手段のより高い評価の両方に対する、商品購入およびサービス提供のためのローンをより利用しやすくするという目的に適用できる。クライアントに対してお金の価値がより低くなり、債権者に対して無料の金融手段の評価がより高くなるという結果となるように、最終的に関係する双方のことに利点がある。
【図面の簡単な説明】
【００３１】
【図１】本発明の実施形態を示すものであり、金融ローン、商品購入、およびサービス提供についての仲介の統合されたインターネットシステムについての図面である。
【図２】本発明の別の実施形態を示すものであり、金融ローン、商品購入、およびサービス提供についての仲介の統合されたインターネットシステムについての図面である。
【図３】本発明の別の実施形態を示すものであり、金融ローン、商品購入、およびサービス提供についての仲介の統合されたインターネットシステムについての図面である。
【図４】本発明の別の実施形態を示すものであり、金融ローン、商品購入、およびサービス提供についての仲介の統合されたインターネットシステムについての図面である。
【図１】
2007293867.tif 000003
【図２】
2007293867.tif 000004
【図３】
2007293867.tif 000005
【図４】
2007293867.tif 000006